(57)【要約】  パッケージング１であって、剛性の容器２及び可撓性の容器３である２つの容器２、３から成り、前記剛性の容器は、前記可撓性の容器を収容することが可能である、パッケージング１が開示される。【選択図】図３
2011509223.tif 000002
【特許請求の範囲】
【請求項１】
剛性の容器（２）及び可撓性の容器（３）である２つの容器（２、３）から成り、
前記剛性の容器は、前記可撓性の容器を収容することが可能である、パッケージング。
【請求項２】
前記剛性の容器（２）は、再使用可能な容器である、請求項１に記載のパッケージング。
【請求項３】
前記可撓性の容器（３）は、使い捨ての容器である、請求項１又は２に記載のパッケージング。
【請求項４】
前記剛性の容器（２）は、熱可塑性ポリマー、アルミニウム、合金、又は木から成る群から選択される材料でできている、請求項１〜３のいずれかに記載のパッケージング。
【請求項５】
前記剛性の容器（２）は、ポリプロピレンでできている、請求項４に記載のパッケージング。
【請求項６】
前記容器（２）は、リサイクル材料でできている、請求項４又は５に記載のパッケージング。
【請求項７】
前記容器（３）は、食品用の高品位ポリプロピレンでできている、請求項１〜６のいずれかに記載のパッケージング。
【請求項８】
カバー（４）をさらに備える、請求項１〜７のいずれかに記載のパッケージング。
【請求項９】
前記カバー（４）は、前記可撓性の容器（３）と同じ材料でできている、請求項８に記載のパッケージング。
【請求項１０】
前記カバー（４）は、取り外し可能に取り付けられる、請求項８及び９に記載のパッケージング。
【請求項１１】
前記カバー（４）は、適当な固定タブ（５、６）によって開放可能な開封シーリングによって固定される、請求項８及び９に記載のパッケージング。
【請求項１２】
識別・位置特定システム（７）が、前記容器（２、３）の少なくとも一方に取り付けられる、請求項１〜１１のいずれかに記載のパッケージング。
【請求項１３】
前記識別・位置特定システムは、ＲＦＩＤラベリング（７）である、請求項１２に記載のパッケージング。
【請求項１４】
前記剛性の容器（２）は、２つの短辺のそれぞれに一対の排水孔（９、１０）を備える、請求項１〜１３のいずれか１項に記載のパッケージング。
【請求項１５】
前記孔（９、１０）に対応して、同様に排水用の同等の孔（１１、１２）が前記可撓性の容器（３）に設けられた、請求項１４に記載のパッケージング。
【請求項１６】
前記カバー（４）は、排水孔（１３）を有する、請求項８〜１５のいずれか１項に記載のパッケージング。
【請求項１７】
前記孔（１３）は、前記ラッピング（１）の孔（９、１０、１１、１２）に対応して４つである、請求項１６に記載のパッケージング。
【請求項１８】
ａ）食品用の材料でできている容器（３）内に物品を配置するステップと、
ｂ）前記物品の特徴を前記容器（３）にＲＦＩＤラベリングするステップと、
ｃ）パッケージング（１）を形成するように、前記容器（３）をより剛性が高い容器（２）に挿入するステップと、
ｄ）前記パッケージング（１）を目的地に輸送するステップと、
ｅ）前記容器（３）を前記容器（２）から取り外すステップと、
ｆ）前記容器（３）を開くと共に前記物品を取り出すステップと、
ｇ）空になった前記容器（３）をプラスチックリサイクル工場に送るステップと、
ｈ）前記容器（２）を戻すステップと、
を含む、物品取り扱い方法。
【請求項１９】
前記可撓性の容器（３）をシールするステップをさらに含む、請求項１８に記載の方法。
【請求項２０】
前記剛性の容器（２）にＲＦＩＤラベリングするステップをさらに含む、請求項１８又は１９に記載の方法。
【請求項２１】
前記パッケージングを形成する前記容器（２、３）の一方又は両方を追跡するステップをさらに含む、請求項１８〜２０のいずれか１項に記載の方法。
【発明の詳細な説明】
【技術分野】
【０００１】
本発明は、厳しい衛生及び／又は食品基準がある製品を中量〜多量で包装しなければならないあらゆる場合に特に有用な、パッケージングに関する。
【背景技術】
【０００２】
食品等の輸送は、クレート、バスケット、及び箱等の容器で行われることが多い。バスケットの使用は、輸送される物質に呼吸させるか又は液体を排出させることが重要であるような場合に特に一般的である。しかしながら、輸送のタイプ若しくは物品のタイプにより、又は健康上及び安全上の要件により、容器が非常に清潔でなければならない場合がある。これは、無菌プラスチック材料でできた適当な箱によって達成される。通常、そのような材料は比較的可撓性であるため、特に中距離〜長距離の道程にわたる中量〜多量の輸送では、こうした材料からできている容器の輸送可能性は低すぎて実用的ではない。さらに、容器をそのような材料で作るならば、その剛性を高めるために厚さを増す必要があるが、これは、こうした容器に必然であるような使い捨ての容器には耐え難いほどの費用がかかることを意味している。また、丈夫なバスケット又は再使用可能な箱への無菌プラスチックシートの適用は、蒸散及び排水が不可能となるためほとんど実用的でないことが分かっている。
【発明の概要】
【０００３】
上述の問題は、パッケージングであって、剛性の容器及び可撓性の容器である２つの容器から成り、剛性の容器は、可撓性の容器を収容することが可能であることを特徴とする、パッケージングに関する本発明によって見事に解決される。
【図面の簡単な説明】
【０００４】
【図１】本発明によるパッケージングの構成要素の斜視図である。
【図２】本発明によるパッケージングの別の構成要素の斜視図である。
【図３】本発明によるパッケージングの斜視図である。
【図４】図２の細部である。
【図５】図１の細部である。
【図６】図３の細部である。
【図７】本発明によるパッケージングのカバーの細部である。
【図８】本発明によるパッケージングのカバーの別の細部である。
【図９】本発明によるパッケージングと共に用いられるカバーの図である。
【図１０】本発明によるパッケージングのカバーの代替的な実施形態を示す。
【図１１】図１０によるカバーを有する、本発明によるパッケージングの斜視図である。
【発明を実施するための形態】
【０００５】
次に、本発明を、その例示的な実施形態を示す添付図面を参照してより詳細に説明する。
【０００６】
本発明によるパッケージング１は、剛性の好ましくは再使用可能な容器２と、可撓性の概して使い捨ての容器３とから成る。本明細書における「剛性」及び「可撓性」は、相対概念として、すなわち「他方よりも剛性が高い」及び「他方よりも可撓性が高い」と理解されるものとし、剛性の程度は、本発明の範囲から逸脱しない限り種々の実施形態で著しく変わることも可能である。容器２に関しては、可能な材料は、熱可塑性材料、アルミニウム、合金、又は木である。ポリマーの中では、アタクチック、アイソタクチック、又はシンジオタクチックを問わず、ポリプロピレンが概して好ましい。再生又は高品位（first-quality）材料が用いられ得るが、容器３に関しては、食品用の高品位ポリプロピレンが通常は用いられる。
【０００７】
パッケージング１に取り付けられるカバー４を設けることが可能である。容器３と同じ材料であってもよいカバー４は、取り外し可能に取り付けられてもよく、又は固定シールされて図７及び図８に例示的に示すように適当な固定タブ５、６によって開封されるようになっていてもよい。
【０００８】
有利には、パッケージング１に識別・位置特定システムが取り付けられ得る。実施形態では、容器２及び／又は容器３に取り付けられるＲＦＩＤラベリング７が示されている。
【０００９】
有利には、２つの短辺のそれぞれに把持開口８及び一対の排水孔９、１０を備えるプラスチック材料製のクレートが容器２として用いられる。孔９、１０に対応して、同様に排水用の同等の孔１１、１２が容器３に見られる。
【００１０】
前述のように、容器２は、比較的剛性の材料でできていることで、輸送及びさほど慎重さを要しない取り扱いに適するようになる。そのような剛性は、概して再使用可能である容器２の無限の再使用も可能にする。容器３は通常、食品に適した材料でできているか又は無菌でさえあり、例えば図３で見ることができるように、容器２に挿入されてこれに完璧に接着する。カバー４は、所望の程度（食品、例えば鮮魚製品のための通常の衛生から、特定の薬剤又は生体物質の最高の無菌状態まで）の衛生を保つために、場合によっては気密シールでの容器の閉鎖を可能にする。
【００１１】
本発明の代替的な実施形態によれば、カバー４は、孔９〜１２に対応して４つの排水貫通孔１３を有する。
【００１２】
したがって、本発明によるパッケージングを用いることが望まれる場合、輸送対象の物品を容器３に充填し、カバー４を場合によってはシールで閉じる。容器３が損傷を受けないよう注意して、容器３を容器２に挿入する。容器３の孔１１、１２の存在は、該孔を通して代わりに換気が行われることにもよって物品を最良の状態で保つように、水滴及び廃液が排出されて孔９、１０から流出することを可能にする。カバー４が孔１３を有すれば、これはさらに容易になる。この場合、開口があることにより、パッケージング１の輸送はどのクレートの輸送とも変わらず容易である。
【００１３】
識別デバイス７、例えばＲＦＩＤの存在は、本発明によるパッケージング１を環境に優しいものにすることを可能にする。実際には、容器２に見られるＲＦＩＤ７は、該容器がどこにあっても追跡することを可能にするため、容器２を新たな使用のためにベースに戻すことができる。これが環境中に廃棄される場合、汚れを出さないように容易に追跡することができるであろう。容器３に見られるＲＦＩＤは、二重の機能を有し得る。これは、容器３に収容されている物品を一意に識別することができ、場合によっては保存状態及び／又は有効期限に関する情報も提供することができる。さらに、材料が完全にリサイクル可能であるため、誤って廃棄される場合があっても容器を追跡する役割も果たすことができる。
【００１４】
したがって、容器２が再使用可能であり、容器３がリサイクル可能であるため、本発明によるパッケージングは、廃棄費用をかけることなく特殊な物質を難なく輸送することを可能にする。
【００１５】
したがって、本発明は、以下のステップを含む物品取り扱い方法にも関する。
ａ）食品に適した材料でできている容器３内に物品を配置するステップと、
ｂ）物品の特徴を容器３にＲＦＩＤラベリングするステップと、
ｃ）パッケージング１を形成するように、容器３をより剛性が高い容器２に挿入するステップと、
ｄ）パッケージング１を目的地に輸送するステップと、
ｅ）容器３を容器２から取り外すステップと、
ｆ）容器３を開くと共に物品を取り出すステップと、
ｇ）空になった容器３をプラスチックリサイクル工場に送るステップと、
ｈ）容器２を戻すステップ。
【００１６】
当然ながら、同じく容器２をラベリングするステップ及びカバー４を取り付けるステップ、並びにシールするステップが提供され得る。
【図１】
2011509223.tif 000003
【図２】
2011509223.tif 000004
【図３】
2011509223.tif 000005
【図４】
2011509223.tif 000006
【図５】
2011509223.tif 000007
【図６】
2011509223.tif 000008
【図７】
2011509223.tif 000009
【図８】
2011509223.tif 000010
【図９】
2011509223.tif 000011
【図１０】
2011509223.tif 000012
【図１１】
2011509223.tif 000013
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
剛性の容器（２）及び可撓性の容器（３）である２つの容器（２、３）から成り、
前記剛性の容器は、前記可撓性の容器を収容するよう構成され、短辺のそれぞれに一対の排水孔（９、１０）を備えており、
前記排水孔（９、１０）に対応して、同様に排水用の同等の孔（１１、１２）が前記可撓性の容器（３）に見られることを特徴とする、パッケージング。
【請求項２】
前記剛性の容器（２）は、再使用可能な容器であり、
前記可撓性の容器（３）は、使い捨ての容器であることを特徴とする、請求項１に記載のパッケージング。
【請求項３】
カバー（４）をさらに備えることを特徴とする、請求項１又は２に記載のパッケージング。
【請求項４】
前記カバーは、前記可撓性の容器（３）と同じ材料でできていることを特徴とする、請求項３に記載のパッケージング。
【請求項５】
前記カバーは、取り外し可能に取り付けられることを特徴とする、請求項３又は４に記載のパッケージング。
【請求項６】
前記カバー（４）は、適当な固定タブ（５、６）によって開放可能な開封シーリングによって固定されることを特徴とする、請求項５に記載のパッケージング。
【請求項７】
前記カバー（４）は、排水孔（１３）を有することを特徴とする、請求項３〜６のいずれか１項に記載のパッケージング。
【請求項８】
前記排水孔（１３）は、前記パッケージング（１）の排水孔（９、１０、１１、１２）に対応して４つであることを特徴とする、請求項７に記載のパッケージング。
【国際調査報告】
2011509223.tif 000014
2011509223.tif 000015
2011509223.tif 000016
2011509223.tif 000017
2011509223.tif 000018